(57)【特許請求の範囲】
【請求項１】
発光手段と、
入力された音の基本周波数を抽出する基本周波数抽出手段と、
上記抽出された基本周波数を用いて、入力された音の高さと所定の基準音の高さの近さを表す指標を算出する指標算出手段と、
上記算出された音の近さを表す指標を用いて、入力された音の高さと所定の基準音の高さが近いほど低い周波数を有する変調周波数を決定する変調周波数決定手段と、
入力された音の高さと所定の基準音の高さが所定の近さよりも近い場合には上記発光手段を所定の輝度以上の輝度で点灯させると共に、そうでない場合には上記決定された変調周波数で上記発光手段の輝度を変化させる輝度制御手段と、
を備え、
上記輝度制御手段は、入力された音の高さと所定の基準音の高さが近いほど高い平均輝度を決定する平均輝度決定手段を備え、その決定された平均輝度を中心として、上記決定された変調周波数で上記発光手段の輝度を変化させる手段であり、
上記輝度制御手段は、さらに、入力された音の高さと所定の基準音の高さが近いほど小さい振幅を決定する振幅決定手段を備え、その決定された振幅に基づいて、かつ、上記決定された平均輝度を中心として、上記決定された変調周波数で上記発光手段の輝度を変化させる手段である、
ことを特徴とする調律表示器。
【請求項２】
請求項１に記載の調律表示器において、
入力された音の高さと所定の基準音の高さが所定の近さよりも近い場合の上記発光手段の発光色と、入力された音の高さと所定の基準音の高さが所定の近さよりも遠い場合の上記発光手段の発光色とが異なる、
ことを特徴とする調律表示器。
【請求項３】
請求項１又は２に記載の調律表示器において、
入力された音の高さと所定の基準音の高さが所定の近さよりも遠いときに、入力された音の高さが所定の基準音の高さよりも高い場合の上記発光手段の発光色と、入力された音の高さが所定の基準音の高さよりも低い場合の上記発光手段の発光色とが異なる、
ことを特徴とする調律表示器。
【請求項４】
請求項１から３の何れかに記載の調律表示器において、
上記変調周波数決定手段によって決定される変調周波数の最大値は、人間が輝度の変化を感じることができる周波数を超えない、
ことを特徴とする調律表示器。
【請求項５】
請求項１から４の何れかに記載の調律表示器において、
上記抽出された基本周波数を用いて、入力された音に最も近い音階音を選択して、その選択された音階音を上記所定の基準音とする基準音決定手段、
を備えることを特徴とする調律表示器。
【請求項６】
入力された音の基本周波数を抽出する基本周波数抽出ステップと、
上記抽出された基本周波数を用いて、入力された音の高さと所定の基準音の高さの近さを表す指標を算出する指標算出ステップと、
上記算出された音の近さを表す指標を用いて、入力された音の高さと所定の基準音の高さが近いほど低い周波数を有する変調周波数を決定する変調周波数決定ステップと、
入力された音の高さと所定の基準音の高さが所定の近さよりも近い場合には発光手段を所定の輝度以上の輝度で点灯させると共に、そうでない場合には上記決定された変調周波数で発光手段の輝度を変化させる輝度制御ステップと、
を備え、
上記輝度制御ステップは、入力された音の高さと所定の基準音の高さが近いほど高い平均輝度を決定する平均輝度決定ステップを備え、その決定された平均輝度を中心として、上記決定された変調周波数で上記発光手段の輝度を変化させるステップであり、
上記輝度制御ステップは、さらに、入力された音の高さと所定の基準音の高さが近いほど小さい振幅を決定する振幅決定ステップを備え、その決定された振幅に基づいて、かつ、上記決定された平均輝度を中心として、上記決定された変調周波数で上記発光手段の輝度を変化させるステップである、
ことを特徴とする調律表示方法。
【請求項７】
請求項１から５の何れかに記載の調律表示器の各手段としてコンピュータを機能させるための調律表示プログラム。
【請求項８】
請求項７に記載の調律表示プログラムを記録したコンピュータ読み取り可能な記録媒体。 
【発明の詳細な説明】
【技術分野】
【０００１】
この発明は、楽器の音の高さと所定の基準音の高さが一致しているかどうかをＬＥＤ等の発光手段を用いて表示する調律表示器、調律表示方法、調律表示プログラム及びその記録媒体に関する。
【背景技術】
【０００２】
楽器の音の高さと所定の基準音の高さが一致しているかどうかをＬＥＤ等の発光手段を用いて表示する電子的な調律器が提案されている。例えば、楽器の音の高さと所定の基準音の高さのずれを測定して、ずれが所定の範囲内である場合には発光手段を静止点灯させ、ずれが所定の範囲外である場合には、ずれが大きいほど発光手段を速く点滅させ、また、プラス方向にずれている場合の発光手段の発光色と、マイナス方向にずれている場合の発光手段の発光色を異ならせる調律器が知られている（例えば、特許文献１参照）。
【特許文献１】特開２００３−９９０３４号公報
【特許文献２】特開平８−５０４８４号公報
【発明の開示】
【発明が解決しようとする課題】
【０００３】
周波数が近い２つの音を同時に鳴らすと、その２つの音の周波数の差の周波数で第３の音が鳴っているように聞こえる「うなり」という現象が知られている。音楽家は、調律対象となる楽器の音と、音叉等を用いて鳴らした基準音とを同時に鳴らすことによって生じるうなりを聞き取ることにより調律を行っていた。すなわち、生じるうなりが小さくなるように、または、うなりが生じないように、微調整を繰り返すことにより、楽器の調律を行っていた。
背景技術に記載した電子的な調律器は、このうなりを聞き取ることによる調律方法を考慮していない。このため、上記した電子的な調律器の使い勝手は必ずしも良くないという問題があった。
【０００４】
この発明は、自然な調律を可能とする調律表示器、調律表示方法、調律表示プログラム及びその記録媒体を提供することを目的とする。
【課題を解決するための手段】
【０００５】
基本周波数抽出手段が、入力された音の基本周波数を抽出する。指標算出手段が、抽出された基本周波数を用いて入力された音の高さと所定の基準音の高さの近さを表す指標を算出する。変調周波数決定手段が、算出された音の近さを表す指標を用いて、入力された音の高さと所定の基準音の高さが近いほど低い周波数を有する変調周波数を決定する。輝度制御手段が、入力された音の高さと所定の基準音の高さが所定の近さよりも近い場合には発光手段を所定の輝度以上の輝度で点灯させると共に、そうでない場合には決定された変調周波数で発光手段の輝度を変化させる。輝度制御手段は、入力された音の高さと所定の基準音の高さが近いほど高い平均輝度を決定する平均輝度決定手段を備え、その決定された平均輝度を中心として、決定された変調周波数で発光手段の輝度を変化させる。輝度制御手段は、さらに、入力された音の高さと所定の基準音の高さが近いほど小さい振幅を決定する振幅決定手段を備え、その決定された振幅に基づいて、かつ、決定された平均輝度を中心として、決定された変調周波数で発光手段の輝度を変化させる。
【発明の効果】
【０００６】
入力された音の高さと基準音の高さが異なる場合に、その高さの違いを視覚的にうなりで表現することにより自然な調律を可能とする。
【発明を実施するための最良の形態】
【０００７】
［第一実施例］
図１、２を参照して本発明の第一実施例による調律表示器１００について説明をする。図１は、調律表示器１００の機能構成を例示する図である。図２は、調律表示器１００の処理例を示すフローチャートである。
【０００８】
＜ステップＳ１＞
基本周波数抽出部１に調律の対象となる楽器から発せられた音が入力される。図示していない、マイクロホンによって収音された音が基本周波数抽出部１に直接入力されてもよいし、マイクロホンによって収音された音が任意の記憶手段に一度記憶され、その記憶手段から読み出された音が基本周波数抽出部１に入力されてもよい。また、音増幅器によって増幅された音が入力されてもよい。
基本周波数抽出部１は、入力された音の基本周波数を抽出する（ステップＳ１）。抽出された基本周波数は、基準音決定部２と指標算出部３に送られる。基本周波数を抽出する手法は任意である。
【０００９】
＜ステップＳ２＞
基準音決定部２は、抽出された基本周波数に最も近い周波数を持つ音階音を選択する（ステップＳ２）。以下、選択された音階音のことを基準音と呼ぶ。基準音に関する情報は、指標算出部３と音名表示制御部７に送られる。
音名表示制御部７は、基準音に関する情報を用いて、７ｓｅｇ等の音名表示器８にその基準音が表示されるように制御する。
【００１０】
＜ステップＳ３＞
指標算出部３は、入力された音の基本周波数と基準音に関する情報とを用いて、入力された音の高さと基準音の高さの近さを表す指標を算出する（ステップＳ３）。この例では、その指標として、入力された音の基本周波数と基準音の周波数との周波数差（ｄｉｆｆ＿ｆｒｅｑ）を用いる。すなわち、指標算出部３は、入力された音の周波数と基準音の周波数との周波数差（例えば、入力された音の基本周波数から基準音の周波数を引いた値）を求めて、変調周波数決定部４に送る。
【００１１】
＜ステップＳ４＞
変調周波数決定部４は、指標算出部３が算出した指標（この例では、周波数差）を用いて、入力された音の高さと基準音の高さが近いほど低い変調周波数（ｍｏｄ＿ｆｒｅｑ）を決定する（ステップＳ５）。決定された変調周波数は輝度制御部５に送られる。例えば、広義単調増加関数ｆに、周波数差の絶対値を入力することにより変調周波数を求める。広義単調増加関数ｆとは、条件：ｘ１≦ｘ２ならばｆ（ｘ１）≦ｆ（ｘ２）、を満たす関数ｙ＝ｆ（ｘ）のことである。周波数差をｄｉｆｆ＿ｆｒｅｑ、変調周波数をｍｏｄ＿ｆｒｅｑとした場合の、広義単調増加関数ｆの例を図３に示す。図３Ａ〜Ｄに例示するように、関数ｆは、周波数差が０又は０に近いときに、変調周波数＝０とする関数である。
【００１２】
この関数ｆは、基準音に応じて異なっていてもよい。例えば、基準音が高ければ高いほど、関数ｆの増加率が小さい広義単調増加関数ｆを用いる。これにより、基準音が高ければ高いほど、入力された音の高さと基準音の高さの差が少し変わるだけで変調周波数が急激に変化する現象を防ぐことができる。
図３において、ｆｍａｘは、変調周波数の最大値である。例えば、ｆｍａｘを、人間が輝度の変化を感じることができる周波数を超えないようにする。例えば、ｆｍａｘ＝３００Ｈｚ〜５００Ｈｚとする。ｆｍａｘが人間が輝度の変化を感じることができる周波数を超えていると、変調周波数がある一定以上高くなると、発光素子が常に点灯しているように人間には見える場合が生じる。ｆｍａｘを、人間が輝度の変化を感じることができる周波数を超えないようにすることにより、ｆｍａｘ以下のすべての範囲の変調周波数における輝度の変化を人間が感じることが可能となり、変調周波数の変化を有効に用いることができる。
【００１３】
＜ステップＳ５＞
輝度制御部５は、入力された音の高さと基準音の高さが所定の近さよりも近い場合には発光素子６を所定の輝度以上の輝度で点灯させると共に、入力された音の高さと基準音の高さが所定の近さよりも遠い場合には上記決定された変調周波数で発光素子６の輝度を変化させる。この例では、変調周波数が０であれば、発光素子６を最大輝度で点灯させる。また、変調周波数が０でなければ、発光素子６の輝度をその変調周波数で変化させる。上記したように、関数ｆは、周波数差が０又は０に近いときに変調周波数＝０となる。周波数差がどの程度０に近いときに変調周波数＝０とするのかという点について関数ｆを変化させることにより、入力された音の高さと基準音の高さがどの程度近い場合に発光素子６を所定の輝度以上の輝度で点灯させるのかを自由に定めることができる。
【００１４】
上記の処理により図４に例示するように、ピッチ誤差に対して輝度を変化させることができる。ここで、図４を含む図面、本明細書、本特許請求の範囲において、一致とは、完全な一致ではなく、原則としてある程度の幅がある一致のことを意味する。例えば、入力された音の高さと基準音の高さが所定の近さよりも近い場合（例えば、入力された音の高さと基準音の高さの差異が−３セント〜＋３セント等の場合）には、入力された音の高さと基準音の高さが一致しているとする。もちろん、「一致」が、文脈によっては「完全な一致」を意味する場合がある。
このように、入力された音の高さと基準音の高さが異なる場合に、その高さの違いを視覚的にうなりで表現することにより自然に調律を行うことができる。
【００１５】
［第二実施例］
本発明による第二実施例の調律表示器は、輝度制御部５Ａが、平均輝度決定部５１と振幅決定部５２と制御部５３とを備え、制御部５３が、平均輝度決定部５１が決定した平均輝度と、振幅決定部５２が決定した振幅と、変調周波数決定部４が決定した変調周波数とに基づいて輝度制御を行う点で、第一実施例の調律表示器１００とは異なる。他の点については、第一実施例と同様であるため重複説明を省略する。以下、図５を参照して、第一実施例と異なる部分である輝度制御部５Ａについてのみ説明をする。
【００１６】
図５に例示するように、輝度制御部５Ａは、例えば、平均輝度決定部５１と振幅決定部５２と制御部５３を備える。輝度制御部５Ａには、変調周波数決定部４が決定した変調周波数が入力される。
【００１７】
平均輝度決定部５１は、入力された音の高さと基準音の高さが近いほど高い平均輝度を決定する。例えば、変調周波数決定部４が決定した変調周波数を広義単調減少関数ｇに入力した場合の出力を平均輝度とする。広義単調減少関数ｇとは、条件：ｘ１≦ｘ２ならばｇ（ｘ１）≧ｆ（ｘ２）、を満たす関数ｙ＝ｇ（ｘ）のことである。変調周波数をｍｏｄ＿ｆｒｅｑとした場合の広義単調減少関数ｇの例を図６に示す。図６Ａ〜Ｄにおいて、ｆｍａｘは変調周波数の上限を、ｂｍａｘは最大輝度を意味する。このように、広義単調減少関数ｇは、例えば、周波数差が０または０に近い場合に、所定の輝度（例えば、最大輝度）を出力する関数である。
【００１８】
振幅決定部５２は、入力された音の高さと所定の基準音の高さが近いほど小さい振幅を決定する。例えば、変調周波数決定部４が決定した変調周波数を広義単調増加関数ｇ’に入力した場合の出力を振幅とする。
制御部５３は、平均輝度決定部５１が決定した平均輝度を中心として、かつ、振幅決定部５２が決定した振幅と変調周波数決定部４が決定した変調周波数とに基づいて、発光素子６の輝度を制御する。
【００１９】
第二実施例では、入力された音の高さと基準音の高さ近いほど、発光素子６の輝度（平均輝度）は高くなり、輝度の変化幅（振幅）が小さくなる。したがって、第二実施例によっても、輝度制御部５Ａは、入力された音の高さと基準音の高さが所定の近さよりも近い場合には発光素子６を所定の輝度以上の輝度で点灯させると共に、入力された音の高さと基準音の高さが所定の近さよりも遠い場合には上記決定された変調周波数で発光素子６の輝度を変化させることができる。
【００２０】
第二実施例の調律表示器は、入力された音の高さが基準音の高さに近づくにつれて、発光素子６が連続的に変化するため、より自然に調律を行うことができるというメリットがある。
入力された音の高さと基準音の高さが所定の近さよりも近くなった場合の、平均輝度が最大輝度、振幅が０とそれぞれなるように、関数ｇ、ｇ’を定めることにより、図７に例示したように、入力された音の高さと基準音の高さに応じて発光素子の輝度を変化させることができる。
【００２１】
なお、第二実施例において、振幅決定部５２は必ずしも必要ではない。振幅決定部５２は設けずに、平均輝度決定部５１を設けて、入力された音の高さが基準音の高さに近いほど発光素子６の輝度（平均輝度）を高くするという上述の処理を行うことによっても、輝度制御部５Ａは、入力された音の高さと基準音の高さが所定の近さよりも近い場合には発光素子６を所定の輝度以上の輝度で点灯させると共に、入力された音の高さと基準音の高さが所定の近さよりも遠い場合には上記決定された変調周波数で発光素子６の輝度を変化させることができる。
【００２２】
［第三実施例］
第三実施例による調律表示器は、入力された音の高さと基準音の高さが一致している場合の発光素子の発光色と、入力された音の高さが基準音の高さよりも高い場合の発光素子の発光色と、入力された音の高さが基準音の高さよりも低い場合の発光素子の発光色とが異なる実施例である。後述する第一発光素子６１、第二発光素子６２という発光色が異なる２つの発光素子の輝度をそれぞれ制御することにより、発光素子の発光色を適宜変化させる。
【００２３】
第三実施例による調律表示器は、図８に例示するように、発光色決定部９をさらに備え、発光素子６Ａは、第一発光素子６１、第二発光素子６２という発光色が異なる２つの発光素子を備え、輝度制御部５Ｂは、これら２つの発光素子の輝度を制御するための第一輝度制御部５４、第二輝度制御部５５を備える点で、第一実施例、第二実施例による調律表示器とは異なる。他の点については、第一実施例、第二実施例による調律表示器と同様であるため重複説明を省略する。
【００２４】
指標算出部３が算出した指標（この例では、入力された音と基準音の周波数差）は、変調周波数決定部４と、発光色決定部９とにそれぞれ入力される。
変調周波数決定部４は、指標算出部３が算出した指標を用いて、第一実施例で説明した方法と同様の方法により、変調周波数を決定して、輝度制御部５Ｂに送る。すなわち、指標算出部３が算出した指標を用いて、入力された音の高さと基準音の高さが近いほど低い変調周波数を決定する。
【００２５】
発光色決定部９は、指標算出部３が算出した指標を用いて、発光素子６Ａの発光色を定めるための情報（発光色情報）を決定して、その発光色情報を輝度制御部５Ｂに送る。図９を参照して、発光色決定部９の処理の流れの具体例を説明する。図９は、発光色決定部９の処理の流れを例示するフローチャートである。
【００２６】
＜ステップＳ６１＞
発光色決定部９は、フラグＧ＿ｆｌｇ＝０とする（ステップＳ６１）。
＜ステップＳ６２＞
発光色決定部９の判定部９１は、入力された音の高さと基準音の高さとが一致しているか、または、入力された音の高さが基準音の高さよりも低いかどうかを判定する（ステップＳ６２）。例えば、指標が周波数差（入力された音の基本周波数−基準音の周波数）である場合には、周波数差をｄｉｆｆ＿ｆｒｅｑとし、入力された音の高さと基準音の高さの所定の近さをａとすると、ｄｉｆｆ＿ｆｒｅｑ≦ａであるか否かが判断される。
【００２７】
＜ステップＳ６３＞
入力された音の高さと基準音の高さとが一致している、または、入力された音の高さが基準音の高さよりも低いと判定された場合には、発光色決定部９は、フラグＧ＿ｆｌｇ＝１として、このフラグＧ＿ｆｌｇ＝１を発光色情報として輝度制御部５Ｂに送る（ステップＳ６３）。
【００２８】
入力された音の高さと基準音の高さとが一致している、または、入力された音の高さが基準音の高さよりも低いと判定されなかった場合には、発光色決定部９は、フラグＧ＿ｆｌｇ＝０として、このフラグＧ＿ｆｌｇ＝０を発光色情報として輝度制御部５Ｂに送る。
輝度制御部５Ｂの第一輝度制御部５４は、変調周波数決定部４が決定した変調周波数に基づいて、第一発光素子６１の輝度を制御する。例えば、変調周波数が０であれば、第一発光素子６１を消灯させる。また、変調周波数が０でなければ、第一発光素子６１の輝度をその変調周波数で変化させる。
【００２９】
輝度制御部５Ｂの第二輝度制御部５５は、発光色情報であるフラグＧ＿ｆｌｇの値に基づいて、第二発光素子６２の輝度を制御する。例えば、Ｇ＿ｆｌｇ＝０であれば第二発光素子６２を消灯し、Ｇ＿ｆｌｇ＝１であれば第二発光素子６２を所定の輝度で点灯させる。
これにより、例えば、第一発光素子６１の発光色を赤、第二発光素子６２の発光色を緑とすると、図１０に例示するように、入力された音の高さと基準音の高さに応じて発光素子の輝度及び発光色を変えることができる。
【００３０】
第三実施例による調律表示器によれば、入力された音の高さと基準音の高さが一致している場合の発光素子の発光色と、一致していない場合の発光素子の発光色とが異なる。このため、入力された音の高さと基準音の高さが一致しているかどうかを判別しやすい。また、入力された音の高さが基準音の高さよりも高い場合の発光素子の発光色と、入力された音の高さが基準音の高さよりも低い場合の発光素子の発光色とが異なる。このため、入力された音が基準音に対して、高い方にずれているのか、低い方にずれているのかを判別しやすい。
【００３１】
なお、入力された音の高さと基準音の高さが所定の近さよりも近い場合の発光素子の発光色と、入力された音の高さと基準音の高さが所定の近さよりも遠い場合の発光素子の発光色のみを異ならせて、入力された音の高さが基準音の高さよりも高い場合の発光素子の発光色と、入力された音の高さが基準音の高さよりも低い場合の発光素子の発光色とを同じにしてもよい。
このためには、例えば、発光色決定部９が常時、フラグＧ＿ｆｌｇ＝１として、このフラグＧ＿ｆｌｇ＝１を発光色情報として輝度制御手段に送ってもよい。
また、発光色決定部９が、上記ステップＳ６２に代えて、図９に点線で例示するステップＳ６２’の処理を行ってもよい。
【００３２】
具体的には、発光色決定部９の判定部９１は、入力された音の高さと基準音の高さとが所定の近さよりも近いかどうかを判定する（ステップＳ６２’）。例えば、周波数差をｄｉｆｆ＿ｆｒｅｑとし、入力された音の高さと基準音の高さの所定の近さをａとすると、｜ｄｉｆｆ＿ｆｒｅｑ｜≦ａであるか否かが判断される。
【００３３】
入力された音の高さと基準音の高さとが所定の近さよりも近いと判定された場合には、発光色決定部９は、フラグＧ＿ｆｌｇ＝１として、このフラグＧ＿ｆｌｇ＝１を発光色情報として輝度制御部５Ｂに送る（ステップＳ６３）。
入力された音の高さと基準音の高さとが所定の近さよりも近いと判定されなかった場合には、発光色決定部９は、フラグＧ＿ｆｌｇ＝０の値を変更せずに、このフラグＧ＿ｆｌｇ＝０を発光色情報として輝度制御部５Ｂに送る。
【００３４】
［第四実施例］
第四実施例による調律表示器は、第三実施例による調律表示器と同様に、入力された音の高さと基準音の高さが一致している場合の発光素子の発光色と、入力された音の高さが基準音の高さよりも高い場合の発光素子の発光色と、入力された音の高さが基準音の高さよりも低い場合の発光素子の発光色とが異なる実施例である。
【００３５】
第四実施例による調律表示器は、図１１に例示するように、発光色決定部９Ｂを備える。また、発光素子６Ａは、第一発光素子６１、第二発光素子６２という発光色が異なる２つの発光素子を備える。また、輝度制御部５Ｃは、この２つの発光素子の輝度をそれぞれ制御する第一輝度制御部５３、第二輝度制御部５７、平均輝度決定部５１、振幅決定部５２を備える。第四実施例による調律表示器は、これらの点で第一実施例、第二実施例による調律表示器１００とは異なる。他の点については第一実施例、第二実施例と同様であるため重複説明を省略する。
【００３６】
指標算出部３により算出された指標は、変調周波数決定部４と発光色決定部９Ｂにそれぞれ入力される。
変調周波数決定部４は、指標算出部３が算出した指標を用いて、第一実施例で述べたのと同様の方法により変調周波数を決定して、輝度制御部５Ｃに送る。例えば、指標が周波数差である場合には、周波数差が大きければ大きいほど高い周波数を持つ変調周波数を決定する。
発光色決定部９Ｂは、指標算出部３が算出した指標を用いて、発光素子６Ａの発光色に関する情報（発光色情報）を決定して、輝度制御部５Ｃに送る。図１２を参照して、発光色決定部９Ｂの具体的な処理について説明をする。図１２は、発光色決定部９Ｂの処理の流れを例示するフローチャートである。
【００３７】
＜ステップＳ６１２＞
発光色決定部９Ｂの第一判定部９２は、入力された音の高さと基準音の高さとが所定の近さよりも遠く、かつ、入力された音の高さが基準音の高さよりも高いかどうかを判定する（ステップＳ６１２）。例えば、指標が周波数差（入力された音の基本周波数−基準音の周波数）である場合には、周波数差をｄｉｆｆ＿ｆｒｅｑとし、入力された音の高さと基準音の高さの所定の近さをａとすると、ｄｉｆｆ＿ｆｒｅｑ≧ａであるか否かが判断される。ｄｉｆｆ＿ｆｒｅｑ＞ａであるか否かを判定してもよい。
【００３８】
＜ステップＳ６１３＞
第一判定部９２において、入力された音の高さと基準音の高さとが所定の近さよりも遠く、かつ、入力された音の高さが基準音の高さよりも高いと判定された場合には、発光色決定部９Ｂは、入力された音の高さは基準音の高さよりも高い旨の情報を発光色情報として、輝度制御部５Ｃに送る（ステップＳ６１３）。
【００３９】
＜ステップＳ６１４＞
第一判定部９２において、入力された音の高さと基準音の高さとが所定の近さよりも遠く、かつ、入力された音の高さが基準音の高さよりも高いと判定されなかった場合には、発光色決定部９Ｂの第二判定部９３は、入力された音の高さと基準音の高さとが所定の近さよりも遠く、かつ、入力された音の高さが基準音の高さよりも低いかどうかを判定する（ステップＳ６１４）。例えば、指標が周波数差（入力された音の基本周波数−基準音の周波数）である場合には、周波数差をｄｉｆｆ＿ｆｒｅｑとし、入力された音の高さと基準音の高さの所定の近さをａとすると、ｄｉｆｆ＿ｆｒｅｑ≦−ａであるか否かが判断される。ｄｉｆｆ＿ｆｒｅｑ＜−ａであるか否かを判定してもよい。
【００４０】
＜ステップＳ６１５＞
第二判定部９３において、入力された音の高さと基準音の高さとが所定の近さよりも遠く、かつ、入力された音の高さが基準音の高さよりも低いと判定された場合には、発光色決定部９Ｂは、入力された音の高さは基準音の高さよりも低い旨の情報を発光色情報として、輝度制御部５Ｃに送る（ステップＳ６１５）。
【００４１】
＜ステップＳ６１６＞
第二判定部９３において、入力された音の高さと基準音の高さとが所定の近さよりも遠く、かつ、入力された音の高さが基準音の高さよりも低いと判定されなかった場合には、発光色決定部９Ｂは、入力された音の高さは基準音の高さと一致している旨の情報を発光色情報として輝度制御部５Ｃに送る（ステップＳ６１６）。
【００４２】
輝度制御部５Ｃの平均輝度決定部５１は、第二実施例の平均輝度決定部５１と同様の方法により、入力された音の高さが基準音の高さと近いほど高い平均輝度を決定する。
輝度制御部５Ｃの振幅決定部５２は、第二実施例の振幅決定部５２と同様の方法により、入力された音の高さが基準音の高さと近いほど小さい振幅を決定する。
決定された平均輝度と振幅は、第一輝度制御部５３、第二輝度制御部５７に送られる。また、発光色情報を用いて、平均輝度と振幅を必要とする制御部のみに、決定された平均輝度と振幅を送ってもよい。
【００４３】
第一輝度制御部５３と第二輝度制御部５７の処理は、３種類の発光色情報により異なる。以下、３種類の発光色情報ごとに場合分けをして、第一輝度制御部５３と第二輝度制御部５７の処理について説明をする。下記の説明において、平均輝度決定部５１が決定した平均輝度を「平均輝度」と、振幅決定部５２が決定した振幅を「振幅」、変調周波数決定部４が決定した変調周波数を「変調周波数」とそれぞれ略記する。
【００４４】
〔入力された音の高さが基準音の高さよりも高い場合〕
第一輝度制御部５３は、発光色情報が入力された音の高さが基準音の高さよりも高い旨の情報である場合には、平均輝度を中心として、振幅と変調周波数とに基づいて、第一発光素子６１の輝度を制御する。
第二輝度制御部５７は、発光色情報が入力された音の高さが基準音の高さよりも高い旨の情報である場合には、所定の輝度（例えば、最大輝度）で第二発光素子６２を点灯する。入力された音の高さが基準音の高さよりも高いほど、低い輝度で第二発光素子６２を点灯してもよい。
【００４５】
〔入力された音の高さが基準音の高さと一致する場合〕
第一輝度制御部５３は、発光色情報が入力された音の高さが基準音の高さと一致する旨の情報である場合には、平均輝度を中心として、振幅と変調周波数とに基づいて、第一発光素子６１の輝度を制御する。または、第一発光素子６１を所定の輝度（最大輝度）で点灯させる。
第二輝度制御部５７は、発光色情報が入力された音の高さが基準音の高さと一致する旨の情報である場合には、平均輝度を中心として、振幅と変調周波数とに基づいて、第二発光素子６２の輝度を制御する。または、第二発光素子６２を所定の輝度（最大輝度）で点灯させる。
【００４６】
〔入力された音の高さが基準音の高さよりも低い場合〕
第一輝度制御部５３は、発光色情報が入力された音の高さが基準音の高さよりも低い旨の情報である場合には、所定の輝度（例えば、最大輝度）で第一発光素子６１を点灯する。入力された音の高さが基準音の高さよりも低いほど、低い輝度で第一発光素子６１を点灯してもよい。
第二輝度制御部５７は、発光色情報が入力された音の高さが基準音の高さよりも低い旨の情報である場合には、平均輝度を中心として、振幅と変調周波数とに基づいて、第二発光素子６２の輝度を制御する。
【００４７】
第四実施例では、入力された音の高さと基準音の高さが近いほど、発光素子６の輝度（平均輝度）は高くなり、輝度の変化幅（振幅）が小さくなる。したがって、第四実施例によっても、輝度制御部５Ｃは、入力された音の高さと基準音の高さが所定の近さよりも近い場合には発光素子６Ａを所定の輝度以上の輝度で点灯させると共に、入力された音の高さと基準音の高さが所定の近さよりも遠い場合には上記決定された変調周波数で発光素子６Ａの輝度を変化させることができる。
第四実施例の調律表示器は、入力された音の高さが基準音の高さに近づくにつれて、発光素子６Ａが連続的に変化するため、より自然に調律を行うことができるという第二実施例と同様のメリットがある。
【００４８】
また、第四実施例による調律表示器によれば、入力された音の高さと基準音の高さが一致している場合の発光素子の発光色と、一致していない場合の発光素子の発光色とが異なる。このため、入力された音の高さと基準音の高さが一致しているかどうかを判別しやすい。また、入力された音の高さが基準音の高さよりも高い場合の発光素子の発光色と、入力された音の高さが基準音の高さよりも低い場合の発光素子の発光色とが異なる。このため、入力された音が基準音に対して、高い方にずれているのか、低い方にずれているのかを判別しやすい。
【００４９】
第一発光素子６１の発光色を赤、第二発光素子６２の発光色を緑として、入力された音の高さと基準音の高さが所定の近さよりも近くなった場合の、平均輝度が最大輝度、振幅が０とそれぞれなるように関数ｇ、ｇ’を定ることにより、図１３Ａ，Ｂに例示したように、入力された音の高さと基準音の高さに応じて発光素子の輝度を変化させることができる。
【００５０】
なお、第四実施例においても、第二実施例と同様に、振幅決定部５２は必ずしも必要ではない。振幅決定部５２は設けずに、平均輝度決定部５１を設けて、入力された音の高さが基準音の高さに近いほど発光素子６の輝度（平均輝度）を高くするという上述の処理を行うことによっても、輝度制御部５Ｃは、入力された音の高さと基準音の高さが所定の近さよりも近い場合には発光素子６Ａを所定の輝度以上の輝度で点灯させると共に、入力された音の高さと基準音の高さが所定の近さよりも遠い場合には上記決定された変調周波数で発光素子６Ａの輝度を変化させることができる。
【００５１】
［第五実施例］
第五実施例による調律表示器は、発光色が異なる３つの第一発光素子６１、第二発光素子６２、第三発光素子６３を用いて、入力された音の高さと基準音の高さが一致している場合の発光素子の発光色と、入力された音の高さが基準音の高さよりも高い場合の発光素子の発光色と、入力された音の高さが基準音の高さよりも低い場合の発光素子の発光色とを異ならせる実施例である。
【００５２】
第五実施例による調律表示器は、図１４に例示するように、発光色決定部９Ａをさらに備え、発光素子６Ｂは、第一発光素子６１、第二発光素子６２、第三発光素子６３という発光色が異なる３つの発光素子を備え、輝度制御部５Ｄは、これら３つの発光素子の輝度を制御するための第一輝度制御部５４、第二輝度制御部５５、第三輝度制御部５６を備える点で、第一実施例、第二実施例による調律表示器とは異なる。他の点については、第一実施例、第二実施例による調律表示器と同様であるため重複説明を省略する。
【００５３】
指標算出部３が算出した指標（この例では、入力された音と基準音の周波数差）は、変調周波数決定部４と、発光色決定部９とにそれぞれ入力される。
変調周波数決定部４は、指標算出部３が算出した指標を用いて、第一実施例で説明した方法と同様の方法により、変調周波数を決定して、輝度制御部５Ｄに送る。例えば、指標算出部３が算出した指標を用いて、入力された音の高さと基準音の高さが近いほど低い変調周波数を決定する。
【００５４】
発光色決定部９Ａは、指標算出部３が算出した指標を用いて、発光素子６Ｂの発光色を定めるための情報（発光色情報）を決定して、その発光色情報を輝度制御部５Ｄに送る。図１５を参照して、発光色決定部９Ａの具体的な処理を説明する。図１５は、発光色決定部９Ａの処理の流れを例示するフローチャートである。
＜ステップＳ６６＞
発光色決定部９は、フラグＲ＿ｆｌｇ＝１、フラグＢ＿ｆｌｇ＝１とする（ステップＳ６６）。
【００５５】
＜ステップＳ６７＞
発光色決定部９Ａの第一判定部９２は、入力された音の高さと基準音の高さとが所定の近さよりも遠く、かつ、入力された音の高さが基準音の高さよりも高いかどうかを判定する（ステップＳ６７）。例えば、指標が周波数差（入力された音の基本周波数−基準音の周波数）である場合には、周波数差をｄｉｆｆ＿ｆｒｅｑとし、入力された音の高さと基準音の高さの所定の近さをａとすると、ｄｉｆｆ＿ｆｒｅｑ≧ａであるか否かが判断される。ｄｉｆｆ＿ｆｒｅｑ＞ａであるか否かを判定してもよい。
【００５６】
＜ステップＳ６８＞
第一判定部９２において、入力された音の高さと基準音の高さとが所定の近さよりも遠く、かつ、入力された音の高さが基準音の高さよりも高いと判定された場合には、発光色決定部９は、フラグＲ＿ｆｌｇ＝０として、このフラグＲ＿ｆｌｇ＝０を第一発光色情報として輝度制御部５Ｄに送る（ステップＳ６８）。また、この場合には、フラグＢ＿ｆｌｇ＝１の値は変えずに、このフラグＢ＿ｆｌｇ＝１を第二発光色情報として輝度制御部５Ｄに送る。
【００５７】
＜ステップＳ６９＞
第一判定部９２において、入力された音の高さと基準音の高さとが所定の近さよりも遠く、かつ、入力された音の高さが基準音の高さよりも高いと判定されなかった場合には、発光色決定部９の第二判定部９３は、入力された音の高さと基準音の高さとが所定の近さよりも遠く、かつ、入力された音の高さが基準音の高さよりも低いかどうかを判定する（ステップＳ６９）。例えば、指標が周波数差（入力された音の基本周波数−基準音の周波数）である場合には、周波数差をｄｉｆｆ＿ｆｒｅｑとし、入力された音の高さと基準音の高さの所定の近さをａとすると、ｄｉｆｆ＿ｆｒｅｑ≦−ａであるか否かが判断される。ｄｉｆｆ＿ｆｒｅｑ＜−ａであるか否かを判定してもよい。
【００５８】
＜ステップＳ６１０＞
第二判定部９３において、入力された音の高さと基準音の高さとが所定の近さよりも遠く、かつ、入力された音の高さが基準音の高さよりも低いと判定された場合には、発光色決定部９は、フラグＢ＿ｆｌｇ＝０として、このフラグＢ＿ｆｌｇ＝０を第二発光色情報として輝度制御部５Ｄに送る（ステップＳ６１０）。また、この場合には、フラグＲ＿ｆｌｇ＝１の値を変更せずに、フラグＲ＿ｆｌｇ＝１を第一発光色情報として輝度制御部５Ｄに送る。
【００５９】
第二判定部９３において、入力された音の高さと基準音の高さとが所定の近さよりも遠く、かつ、入力された音の高さが基準音の高さよりも低いと判定されなかった場合には、フラグＲ＿ｆｌｇ＝１、フラグＢ＿ｆｌｇ＝１の値を変更せずに、フラグＲ＿ｆｌｇ＝１、フラグＢ＿ｆｌｇ＝１をそれぞれ第一発光色情報、第二発光色情報として輝度制御部５Ｄに送る。
輝度制御部５Ｄの第一輝度制御部５４は、変調周波数決定部４が決定した変調周波数に基づいて、第一実施例の輝度制御部５と同様に、第一発光素子６１の輝度を制御する。例えば、変調周波数が０であれば、第一発光素子６１を所定の輝度（例えば、最大輝度）で点灯させる。また、変調周波数が０でなければ、第一発光素子６１の輝度をその変調周波数で変化させる。
【００６０】
輝度制御部５Ｄの第二輝度制御部５５は、第一発光色情報であるフラグＲ＿ｆｌｇの値に基づいて、第二発光素子６２の輝度を制御する。例えば、Ｒ＿ｆｌｇ＝０であれば第二発光素子６２を消灯し、Ｒ＿ｆｌｇ＝１であれば第二発光素子６２を所定の輝度（例えば、最大輝度）で点灯させる。
輝度制御部５Ｄの第三輝度制御部５６は、第二発光色情報であるフラグＢ＿ｆｌｇの値に基づいて、第二発光素子６２の輝度を制御する。例えば、Ｂ＿ｆｌｇ＝０であれば第三発光素子６３を消灯し、Ｂ＿ｆｌｇ＝１であれば第三発光素子６３を所定の輝度（例えば、最大輝度）で点灯させる。
【００６１】
これにより、例えば、第一発光素子６１の発光色を赤、第二発光素子６２の発光色は緑、第三発光素子の発光色を青とすると、図１６に例示するように、入力された音の高さと基準音の高さに応じて発光素子の輝度及び発光色を変えることができる。
第五実施例による調律表示器によれば、入力された音の高さと基準音の高さが一致している場合の発光素子の発光色と、一致していない場合の発光素子の発光色とが異なる。このため、入力された音の高さと基準音の高さが一致しているかどうかを判別しやすい。また、入力された音の高さが基準音の高さよりも高い場合の発光素子の発光色と、入力された音の高さが基準音の高さよりも低い場合の発光素子の発光色とが異なる。このため、入力された音が基準音に対して、高い方にずれているのか、低い方にずれているのかを判別しやすい。
【００６２】
［第六実施例］
第六実施例による調律表示器は、第五実施例による調律表示器と同様に、発光色が異なる３つの発光素子を用いて、入力された音の高さと基準音の高さが一致している場合の発光素子の発光色と、入力された音の高さが基準音の高さよりも高い場合の発光素子の発光色と、入力された音の高さが基準音の高さよりも低い場合の発光素子の発光色とを異ならせる実施例である。
【００６３】
第六実施例による調律表示器は、図１７に例示するように、発光色決定部９Ｂを備える。また、発光素子６Ｂは、第一発光素子６１、第二発光素子６２、第三発光素子６３という発光色が異なる３つの発光素子を備える。また、輝度制御部５Ｅは、この３つの発光素子の輝度をそれぞれ制御する第一輝度制御部５３、第二輝度制御部５７、第三輝度制御部５８、平均輝度決定部５１、振幅決定部５２を備える。第六実施例による調律表示器は、これらの点で第一実施例、第二実施例による調律表示器１００とは異なる。他の点については第一実施例、第二実施例と同様であるため重複説明を省略する。
【００６４】
指標算出部３により算出された指標は、変調周波数決定部４と発光色決定部９Ｂにそれぞれ入力される。
変調周波数決定部４は、指標算出部３が算出した指標を用いて、第一実施例で述べたのと同様の方法により変調周波数を決定して、輝度制御部５Ｅに送る。例えば、指標が周波数差である場合には、周波数差が大きければ大きいほど高い周波数を持つ変調周波数を決定する。
【００６５】
発光色決定部９Ｂは、第四実施例で述べたのと同様の方法により、指標算出部３が算出した指標を用いて、発光素子６Ａの発光色に関する情報（発光色情報）を決定して、輝度制御部５Ｅに送る。すなわち、発光色決定部９Ｂは、図１２に例示した処理を行うことにより、入力された音の高さと基準音の高さに応じて、入力された音の高さが基準音の高さよりも高い旨を表す情報、入力された音の高さと基準音の高さが一致する旨を表す情報、入力された音の高さが基準音の高さよりも低い旨を表す情報の何れかの情報を輝度制御部５Ｅに送る。
【００６６】
輝度制御部５Ｅの平均輝度決定部５１は、第二実施例の平均輝度決定部５１と同様の方法により、入力された音の高さが基準音の高さと近いほど高い平均輝度を決定する。
輝度制御部５Ｅの振幅決定部５２は、第二実施例の振幅決定部５２と同様の方法により、入力された音の高さが基準音の高さと近いほど小さい振幅を決定する。
決定された平均輝度と振幅は、第一輝度制御部５３、第二輝度制御部５７、第三輝度制御部５８に送られる。また、発光色情報を用いて、平均輝度と振幅を必要とする制御部のみに、決定された平均輝度と振幅を送ってもよい。
【００６７】
第一輝度制御部５３、第二輝度制御部５７、第三輝度制御部５８の処理は、３種類の発光色情報により異なる。以下、３種類の発光色情報ごとに場合分けをして、第一輝度制御部５３、第二輝度制御部５７、第三輝度制御部５８の処理について説明をする。下記の説明において、平均輝度決定部５１が決定した平均輝度を「平均輝度」と、振幅決定部５２が決定した振幅を「振幅」、変調周波数決定部４が決定した変調周波数を「変調周波数」とそれぞれ略記する。
第一輝度制御部５３と第二輝度制御部５７の処理は、第四実施例で述べた第一輝度制御部５３と第二輝度制御部５７の処理と同様である。３種類の発光色情報に応じて第三輝度制御部が下記の処理をする点で、第六実施例は第四実施例と異なる。
【００６８】
〔入力された音の高さが基準音の高さよりも高い場合〕
第一輝度制御部５３は、発光色情報が入力された音の高さが基準音の高さよりも高い旨の情報である場合には、平均輝度を中心として、振幅と変調周波数とに基づいて、第一発光素子６１の輝度を制御する。
第二輝度制御部５７は、発光色情報が入力された音の高さが基準音の高さよりも高い旨の情報である場合には、所定の輝度（例えば、最大輝度）で第二発光素子６２を点灯する。入力された音の高さが基準音の高さよりも高いほど、低い輝度で第二発光素子６２を点灯してもよい。
第三輝度制御部５８は、発光色情報が入力された音の高さが基準音の高さよりも高い旨の情報である場合には、所定の輝度（例えば、最大輝度）で第三発光素子６３を点灯する。入力された音の高さが基準音の高さよりも高いほど、低い輝度で第三発光素子６３を点灯してもよい。
【００６９】
〔入力された音の高さが基準音の高さと一致する場合〕
第一輝度制御部５３は、発光色情報が入力された音の高さが基準音の高さと一致する旨の情報である場合には、平均輝度を中心として、振幅と変調周波数とに基づいて、第一発光素子６１の輝度を制御する。または、第一発光素子６１を所定の輝度（例えば、最大輝度）で点灯させる。
第二輝度制御部５７は、発光色情報が入力された音の高さが基準音の高さと一致する旨の情報である場合には、平均輝度を中心として、振幅と変調周波数とに基づいて、第二発光素子６２の輝度を制御する。または、第二発光素子６２を所定の輝度（例えば、最大輝度）で点灯させる。
第三輝度制御部５８は、発光色情報が入力された音の高さが基準音の高さと一致する旨の情報である場合には、平均輝度を中心として、振幅と変調周波数とに基づいて、第三発光素子６３の輝度を制御する。または、第三発光素子６３を所定の輝度（例えば、最大輝度）で点灯させる。
【００７０】
〔入力された音の高さが基準音の高さよりも低い場合〕
第一輝度制御部５３は、発光色情報が入力された音の高さが基準音の高さよりも低い旨の情報である場合には、所定の輝度（例えば、最大輝度）で第一発光素子６１を点灯する。入力された音の高さが基準音の高さよりも低いほど、低い輝度で第一発光素子６１を点灯してもよい。
第二輝度制御部５７は、発光色情報が入力された音の高さが基準音の高さよりも低い旨の情報である場合には、所定の輝度（例えば、最大輝度）で第二発光素子６２を点灯する。入力された音の高さが基準音の高さよりも低いほど、低い輝度で第二発光素子６２を点灯してもよい。
第三輝度制御部５８は、発光色情報が入力された音の高さが基準音の高さよりも低い旨の情報である場合には、平均輝度を中心として、振幅と変調周波数とに基づいて、第三発光素子６３の輝度を制御する。
【００７１】
第六実施例では、入力された音の高さと基準音の高さ近いほど、発光素子６の輝度（平均輝度）は高くなり、輝度の変化幅（振幅）が小さくなる。したがって、第六実施例によっても、輝度制御部５Ｅは、入力された音の高さと基準音の高さが所定の近さよりも近い場合には発光素子６Ｂを所定の輝度以上の輝度で点灯させると共に、入力された音の高さと基準音の高さが所定の近さよりも遠い場合には上記決定された変調周波数で発光素子６Ｂの輝度を変化させることができる。
【００７２】
第六実施例の調律表示器は、入力された音の高さが基準音の高さに近づくにつれて、発光素子６Ａが連続的に変化するため、より自然に調律を行うことができるという第二実施例と同様のメリットがある。
【００７３】
また、第六実施例による調律表示器によれば、入力された音の高さと基準音の高さが一致している場合の発光素子の発光色と、一致していない場合の発光素子の発光色とが異なる。このため、入力された音の高さと基準音の高さが一致しているかどうかを判別しやすい。また、入力された音の高さが基準音の高さよりも高い場合の発光素子の発光色と、入力された音の高さが基準音の高さよりも低い場合の発光素子の発光色とが異なる。このため、入力された音が基準音に対して、高い方にずれているのか、低い方にずれているのかを判別しやすい。
【００７４】
第一発光素子６１の発光色を赤、第二発光素子６２の発光色を緑、第三発光素子６３のの発光色を青とし、入力された音の高さと基準音の高さが所定の近さよりも近くなった場合の、平均輝度が最大輝度、振幅が０とそれぞれなるように、関数ｇ、ｇ’を定めることにより、図１８に例示したように、入力された音の高さと基準音の高さに応じて発光素子の輝度を変化させることができる。
【００７５】
なお、第六実施例においても、第二実施例と同様に、振幅決定部５２は必ずしも必要ではない。振幅決定部５２は設けずに、平均輝度決定部５１のみを設けて、入力された音の高さが基準音の高さに近いほど発光素子６の輝度（平均輝度）を高くするという上述の処理を行うことによっても、輝度制御部５Ｅは、入力された音の高さと基準音の高さが所定の近さよりも近い場合には発光素子６Ｂを所定の輝度以上の輝度で点灯させると共に、入力された音の高さと基準音の高さが所定の近さよりも遠い場合には上記決定された変調周波数で発光素子６Ｂの輝度を変化させることができる。
【００７６】
［変形例等］
本発明は、音だけではなく、周期的な信号についても適用することができる。すなわち、本発明により、入力された所定の信号の基本周波数の高さと、所定の基準周波数の高さの近さを視覚的にうなりで表現してもよい。
指標として、周波数差以外の任意の入力された音の高さと基準音の高さの近さを表す特徴量を用いることができる。例えば、セント等の周波数の比で表される特徴量を用いてもよい。
【００７７】
変調周波数の代わりに、セント等の周波数の比で表される特徴量を用いてもよい。
平均輝度決定部５１と振幅決定部５２は変調周波数以外の特徴量を用いて、平均輝度と振幅を決定してもよい。すなわち、例えば、指標算出部３が算出した指標を用いて、平均輝度決定部５１が入力された音の高さと所定の基準音の高さが近いほど高い平均輝度を計算し、振幅決定部５２が入力された音の高さと所定の基準音の高さが近いほど小さい振幅を決定してもよい。
【００７８】
基準音決定部２は必ずしも必要ではない。例えば、基準音受付部１０を設けて、ユーザが任意の基準音を選択できるようにしてもよい。選択された基準音は、指標算出部３に入力されて、指標算出部３はその選択された基準音に基づいて指標を計算する。他の処理は上記実施例で述べたのと同様である。
【００７９】
音名表示器７、音名表示器８は必ずしも必要ではない。
本発明による調律表示器は、それ単体として調律器として用いてもよいし、ギターアンプ等の電子音楽関連機器に設けてもよい。
上述の構成をコンピュータによって実現する場合、各装置が有すべき機能の処理内容はプログラムによって記述される。そして、このプログラムをコンピュータで実行することにより、上記処理機能がコンピュータ上で実現される。
【００８０】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよいが、具体的には、例えば、磁気記録装置として、ハードディスク装置、フレキシブルディスク、磁気テープ等を、光ディスクとして、ＤＶＤ（Digital Versatile Disc）、ＤＶＤ−ＲＡＭ（Random Access Memory）、ＣＤ−ＲＯＭ（Compact Disc Read Only Memory）、ＣＤ
−Ｒ（Recordable）／ＲＷ（ReWritable）等を、光磁気記録媒体として、ＭＯ（Magneto-Optical disc）等を、半導体メモリとしてＥＥＰ−ＲＯＭ（Electronically Erasable and Programmable-Read Only Memory）等を用いることができる。
【００８１】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００８２】
また、上述した実施形態とは別の実行形態として、コンピュータが可搬型記録媒体から直接このプログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００８３】
また、この形態では、コンピュータ上で所定のプログラムを実行させることにより、本装置を構成することとしたが、これらの処理内容の少なくとも一部をハードウェア的に実現することとしてもよい。
また、上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能であることはいうまでもない。
【図面の簡単な説明】
【００８４】
【図１】第一実施例による調律表示器１００の機能構成を例示する図。
【図２】本発明による調律表示器の処理の流れを例示するフローチャート。
【図３】周波数差と変調周波数の関係を例示する図。
【図４】第一実施例の調律表示器１００の表示例。
【図５】第二実施例の輝度制御部５Ａの機能構成を例示する図。
【図６】変調周波数と平均輝度の関係を例示する図。
【図７】第二実施例の調律表示器の表示例。
【図８】第三実施例の調律表示器の機能構成の一部を例示する図。
【図９】発光色決定部９の処理の流れを例示するフローチャート。
【図１０】図１０Ａは、第三実施例の調律表示器の表示例。図１０Ｂは、図１０Ａに示した表示を行うための各発光素子の表示例。
【図１１】第四実施例の調律表示器の機能構成の一部を例示する図。
【図１２】発光色決定部９Ｂの処理の流れを例示するフローチャート図。
【図１３】図１３Ａは、第四実施例の調律表示器の表示例。図１３Ｂは、図１３Ａに示した表示を行うための各発光素子の表示例。
【図１４】第五実施例の調律表示器の機能構成の一部を例示する図。
【図１５】発光色決定部９Ａの処理の流れを例示するフローチャート図。
【図１６】図１６Ａは、第五実施例の調律表示器の表示例。図１６Ｂは、図１６Ａに示した表示を行うための各発光素子の表示例。
【図１７】第六実施例の調律表示器の機能構成の一部を例示する図。
【図１８】図１８Ａは、第六実施例の調律表示器の表示例。図１８Ｂは、図１８Ａに示した表示を行うための各発光素子の表示例。
【符号の説明】
【００８５】
１   基本周波数抽出部
２   基準音決定部
３   指標算出部
４   変調周波数決定部
５   輝度制御部
５Ａ 輝度制御部
５Ｂ 輝度制御部
５Ｃ 輝度制御部
５Ｄ 輝度制御部
５Ｅ 輝度制御部
６   発光素子
６Ａ 発光素子
６Ｂ 発光素子
７   音名表示制御部
８   音名表示器
９   発光色決定部
９Ａ 発光色決定部
９Ｂ 発光色決定部
５１ 平均輝度決定部
５２ 振幅決定部
５３ 制御部
５３ 第一輝度制御部
５４ 第一輝度制御部
５５ 第二輝度制御部
５６ 第三輝度制御部
５７ 第二輝度制御部
５８ 第三輝度制御部
６１ 第一発光素子
６２ 第二発光素子
６３ 第三発光素子
９１ 判定部
９２ 第一判定部
９３ 第二判定部
１００ 調律表示器
【図１】
0005156885.tif 000002
【図２】
0005156885.tif 000003
【図３】
0005156885.tif 000004
【図４】
0005156885.tif 000005
【図５】
0005156885.tif 000006
【図６】
0005156885.tif 000007
【図７】
0005156885.tif 000008
【図８】
0005156885.tif 000009
【図９】
0005156885.tif 000010
【図１０】
0005156885.tif 000011
【図１１】
0005156885.tif 000012
【図１２】
0005156885.tif 000013
【図１３】
0005156885.tif 000014
【図１４】
0005156885.tif 000015
【図１５】
0005156885.tif 000016
【図１６】
0005156885.tif 000017
【図１７】
0005156885.tif 000018
【図１８】
0005156885.tif 000019